(57)【要約】      （修正有）【課題】経年変化に影響されることなく消火栓扉の開閉が適切にできるようにする。【解決手段】消火栓扉１４をする開閉用ハンドル装置１０には、ハンドルレバー１８がハンドル収納部１６に回動自在に軸支され、扉面に平行な扉ロック位置と扉面から突出した扉ロック解除位置とに回動操作される。ハンドルレバー１８から扉奥行き方向に作動レバー２２が延在され、筐体側に設けたストッパ部２４に当接して消火栓扉１４を閉鎖位置に保持し、ハンドルレバーの扉ロック解除位置への回動によりストッパ部２４との当接を解除して消火栓扉を開放可能とする。作動レバー２２とストッパ部２４の間に磁石２６が配置され、ハンドルレバー１８の扉ロック位置で作動レバー２２とストッパ部２４を磁気吸着して保持し、ハンドルレバー１８の扉ロック解除位置への回動により作動レバー２２とストッパ部２４の磁気吸着を解除して開放可能とする。【選択図】図１
2009291507.tif 000002
【特許請求の範囲】
【請求項１】
放水ノズル付きホースを収納した筐体に対し開閉自在に設けた消火栓扉に開閉操作に使用されるハンドル装置を設けた消火栓装置に於いて、
前記ハンドル装置は、
前記消火栓扉のハンドル収納部に回動自在に軸支され、扉面に平行な扉ロック位置と扉面から突出した扉ロック解除位置とに回動操作されるハンドルレバーと、
前記ハンドルレバーから扉奥行き方向に延在され、前記ハンドルレバーの扉ロック位置で前記筐体側に設けたストッパ部材に当接して前記消火栓扉を閉鎖位置に保持し、前記ハンドルレバーの扉ロック解除位置への回動により前記ストッパ部材との当接を解除して前記消火栓扉を開放可能とする作動レバーと
前記作動レバーとストッパ部材の間に配置され、前記ハンドルレバーの扉ロック位置で前記作動レバーとストッパ部材を磁気吸着して保持し、前記ハンドルレバーの扉ロック解除位置への回動により前記作動レバーとストッパ部材の磁気吸着を解除する磁石と、
を備えたことを特徴とする消火栓装置。
【請求項２】
請求項１記載の消火栓装置に於いて、前記磁石を筐体側のストッパ部材又は前記作動レバー側に固定したことを特徴とする消火栓装置。
【請求項３】
請求項１記載の消火栓装置に於いて、前記磁石は、前記消火栓扉の閉鎖状態で、更に、前記ストッパ部材と消火栓扉を磁気吸着して保持することを特徴とする消火栓装置。
【請求項４】
請求項１記載の消火栓装置に於いて、更に、前記ハンドルレバーを扉ロック位置に吸着保持する第２磁石を設けたことを特徴とする消火栓装置。
【請求項５】
放水ノズル付きホースを収納した筐体に対し開閉自在に設けた消火栓扉に、前記消火栓扉を閉鎖状態に保持するハンドル装置を設けた消火栓装置に於いて、
前記ハンドル装置は、
前記消火栓扉のハンドル収納部に回動自在に軸支され、扉面に平行な扉ロック位置と扉面から突出した扉ロック解除位置とに回動操作されるハンドルレバーと、
前記ハンドルレバーから扉奥行き方向に延在され、前記ハンドルレバーの扉ロック位置でレバー後端部を筐体側から延在した隔壁の手前に位置し、前記ハンドルレバーの扉ロック解除位置への回動により、前記レバー後端を前記隔壁に当接してその反力により消火栓扉を開閉方向に押し出す作動レバーと、
前記筐体と消火栓扉の間に配置され、前記ハンドルレバーの扉ロック位置で前記消火栓扉を筐体側に磁気吸着し、前記ハンドルレバーの扉ロック解除位置への回動により前記消火栓扉の筐体に対する磁気吸着が解除される磁石と、
を備えたことを特徴とする消火栓装置。
【請求項６】
請求項５記載の消火栓装置に於いて、前記作動レバーは、レバー後端部にロッド部材を横方向に支持し、前記ロッド部材の両端を前記筐体側から延在した隔壁に当接してその反力により消火栓扉を開閉方向に押し出すことを特徴とする消火栓装置。
【請求項７】
請求項５記載の消火栓装置に於いて、前記磁石を筐体側又は前記消火栓扉側に固定したことを特徴とする消火栓装置。
【請求項８】
放水ノズル付きホースを収納した筐体に対し開閉自在に設けた消火栓扉に、前記消火栓扉を閉鎖状態に保持するハンドル装置を設けた消火栓装置に於いて、
前記ハンドル装置は、
前記消火栓扉のハンドル収納部に回動自在に軸支され、扉面に平行な扉ロック位置と扉面から突出した扉ロック解除位置とに回動操作されるハンドルレバーと、
前記ハンドルレバーの扉ロック位置で前記筐体と消火栓扉の間に配置された磁石に磁気吸着し、前記ハンドルレバーの扉ロック解除位置への回動により前記磁石との磁気吸着を解除して前記消火栓扉を開放可能とする作動レバーと、
を備えたことを特徴とする消火栓装置
【請求項９】
請求項８記載の消火栓装置に於いて、前記作動レバーは、レバー後端部にロッド部材を横方向に支持し、前記ハンドルレバーの扉ロック位置で前記ロッド部材の両端を前記筐体側に配置した磁石に吸着し、前記ハンドルレバーの扉ロック解除位置で前記ロッド部材の両端の前記磁石との磁気吸着を解除することを特徴とする消火栓装置。
【請求項１０】
請求項８記載の消火栓装置に於いて、前記磁石を筐体側又は前記消火栓扉側に固定したことを特徴とする消火栓装置。
【発明の詳細な説明】
【技術分野】
【０００１】
本発明は、消火栓扉をハンドル装置の操作で開いて放水ノズル付きホースを引き出して放水する消火栓装置に関する。
【背景技術】
【０００２】
従来、自動車専用道路などのトンネル内には、火災発生時に備えて消火栓装置が設置されている。
【０００３】
図１３は従来の消火栓装置１００の正面図であり、図１４は消火栓装置１００の消火栓扉１０４を開いた状態の内部構造の平面図であり、図１５はその側面図である。消火栓装置１００の筐体１０２の前面には消火栓扉１０４と消火器扉１０６が設けられている。
【０００４】
消火栓扉１０４にはハンドル装置１０８が設けられ、ハンドル装置１０８のハンドルレバーを手前に引くことでロックを解除し、消火栓扉１０４を下側を回転軸に前方に開放することができる。また図１５のように、消火栓扉１０４と筐体１０２との間には緩衝用ダンパ１１０が設けられ、消火栓扉１０４を滑らかに開放できるようにしている。
【０００５】
消火栓扉１０４の内部には、図１４のように、先端にノズル１１３を装着したホース１１１を筐体内に内巻きして収納されており、消火栓扉１０４を開いてノズル１１３を引き出し、扉内に設けている消火栓弁開閉レバー１１２を操作することで消火ポンプ設備を起動して放水を行うことができる。
【０００６】
図１６は消火栓扉１０４に設けた開閉ハンドル１０８のロック機構を模式的に示している。ロック機構において、ハンドルレバー１１４は軸１１６により回動自在に支持され、ハンドルレバー１１４には直交する方向に作動アーム１１８が一体に形成されている。
【０００７】
ハンドルレバー１１４の奥にはガイドケース１２０が配置され、ガイドケース１２０の中に、スプリング１２２を介して上下に移動自在にスライダ１２４を設け、スライダ１２４の開口部１２６にハンドルレバー１１４から延在した作動アーム１１８を嵌め入れている。
【０００８】
スライダ１２４の上部に位置する筐体１０２側にはキャッチ部１２８が形成され、消火栓扉１０４を閉じた図示の状態で、スプリング１２２により押されたスライダ１２４の先端を嵌め入れ、消火栓扉１０４を閉鎖状態にロックしている。
【０００９】
図１７は消火栓扉１０４の開動作を示す。図１６の閉鎖状態にある開閉ハンドル１０８に対し、ハンドルレバー１１４に下側から手を入れて矢印Ａのように手前に引くと、軸１１６を中心に作動アーム１１８が回動してスライダ１２４をスプリング１２０に抗して矢印Ｂのように押下げ、キャッチ部１２８からスライダ１２４が外れることでラッチが解除され、消火栓扉１０４は矢印Ｃのように開き始める。
【特許文献１】特開２００５−３１８９７２号公報
【発明の開示】
【発明が解決しようとする課題】
【００１０】
しかしながら、このような従来の消火栓扉に設けたハンドル装置にあっては、ハンドルレバーの操作によりスライダを上下方向に移動してロックを解除する構造であり、長期間設置している間のスライダの経年変化による腐食などに伴い、開閉力が増加してハンドルレバーの動きが悪くなり、操作しづらくなるという問題があった。
【００１１】
本発明は、経年変化に影響されることなく消火栓扉の開閉が適切にできるハンドル装置を備えた消火栓装置を提供することを目的とする。
【課題を解決するための手段】
【００１２】
本発明は、放水ノズル付きホースを収納した筐体に対し開閉自在に設けた消火栓扉に開閉操作に使用するハンドル装置を設けた消火栓装置に於いて、
ハンドル装置は、
消火栓扉のハンドル収納部に回動自在に軸支され、扉面に平行な扉ロック位置と扉面から突出した扉ロック解除位置とに回動操作されるハンドルレバーと、
ハンドルレバーから扉奥行き方向に一体に延在され、ハンドルレバーの扉ロック位置で筐体側に設けたストッパ部材に当接して消火栓扉を閉鎖位置に保持し、ハンドルレバーの扉ロック解除位置への回動によりストッパ部材との当接を解除して消火栓扉を開放可能とする作動レバーと
作動レバーとストッパ部材の間に配置され、ハンドルレバーの扉ロック位置で作動レバーとストッパ部材を磁気吸着して保持し、ハンドルレバーの扉ロック解除位置への回動により作動レバーとストッパ部材の磁気吸着を解除する磁石と、
を備えたことを特徴とする。
【００１３】
ここで、磁石を筐体側のストッパ部材又は前記作動レバー側に固定する。
【００１４】
また、磁石は、消火栓扉の閉鎖状態で、更に、ストッパ部材と消火栓扉を磁気吸着して保持する。
【００１５】
更に、ハンドルレバーを扉ロック位置に吸着保持する第２磁石を設けるようにしても良い。
【００１６】
本発明の別の形態にあっては、放水ノズル付きホースを収納した筐体に対し開閉自在に設けた消火栓扉に、消火栓扉を閉鎖状態に保持するハンドル装置を設けた消火栓装置に於いて、
ハンドル装置は、
消火栓扉のハンドル収納部に回動自在に軸支され、扉面に平行な扉ロック位置と扉面から突出した扉ロック解除位置とに回動操作されるハンドルレバーと、
ハンドルレバーから扉奥行き方向に一体に延在され、ハンドルレバーの扉ロック位置でレバー後端部を筐体側から延在した隔壁の手前に位置し、ハンドルレバーの扉ロック解除位置への回動により、レバー後端を前記隔壁に当接してその反力により消火栓扉を開閉方向に押し出す作動レバーと、
筐体と消火栓扉の間に配置され、ハンドルレバーの扉ロック位置で消火栓扉を筐体側に磁気吸着し、ハンドルレバーの扉ロック解除位置への回動により前記消火栓扉の筐体に対する磁気吸着が解除される磁石と、
を備えたことを特徴とする。
【００１７】
ここで、作動レバーは、レバー後端部にロッド部材を横方向に支持し、ロッド部材の両端を筐体側から延在した隔壁に当接してその反力により消火栓扉を開閉方向に押し出す。
【００１８】
また、磁石を筐体側又は消火栓扉側に固定する。
【００１９】
本発明の別の形態にあっては、放水ノズル付きホースを収納した筐体に対し開閉自在に設けた消火栓扉に、消火栓扉を閉鎖状態に保持するハンドル装置を設けた消火栓装置に於いて、
ハンドル装置は、
消火栓扉のハンドル収納部に回動自在に軸支され、扉面に平行な扉ロック位置と扉面から突出した扉ロック解除位置とに回動操作されるハンドルレバーと、
ハンドルレバーの扉ロック位置で筐体との間に配置された磁石に磁気吸着し、ハンドルレバーの扉ロック解除位置への回動により磁石との磁気吸着を解除して消火栓扉を開放可能とする作動レバーと、
を備えたことを特徴とする
ここで、作動レバーは、レバー後端部にロッド部材を横方向に支持し、ハンドルレバーの扉ロック位置でロッド部材の両端を筐体側に配置した磁石に吸着し、ハンドルレバーの扉ロック解除位置でロッド部材の両端の磁石との磁気吸着を解除する。
【００２０】
また、磁石を筐体側又は消火栓扉側に固定する。
【発明の効果】
【００２１】
本発明によれば、回動操作されるハンドルレバーから延在した作動レバーを筐体側に磁石により吸着保持して消火栓扉をロック位置に保持しているため、スライドする部分をもたないことから経年変化により腐食を生じてもハンドルレバーの動きが悪くなることがなく、ハンドルレバーの操作力は変化しないことにより、常に安定した操作性を維持することができる。
【００２２】
また、比較的強力な磁石を使用していても、ハンドルレバーの回転軸部から延在した作動レバーによるてこの原理を利用して磁石との吸着を解除するため、ハンドルレバーを開放側に引く操作力を充分に低くすることができ、女性や未成年者などの力の弱い者であっても、ハンドルレバーを操作して確実に消火栓扉を開放することができる。
【発明を実施するための最良の形態】
【００２３】
図１は本発明による消火栓扉に設けたハンドル装置の第１実施形態を示した断面図である。図１において、第１実施形態のハンドル装置１０は、図１３に示したと同じ消火栓装置の筐体１２の開口部に開閉自在に設けた消火栓扉１４に設けられる。
【００２４】
ハンドル装置１０は消火栓扉１４にハンドル収納部１６を取り付けている。ハンドル収納部１６には、軸２０により回動自在にハンドルレバー１８が装着されている。ハンドルレバー１８は、扉面に平行な図示の扉ロック位置と、扉面から突出した扉ロック解除位置とに回動操作される。即ち、ハンドルレバー１８を、扉面に平行な図示の状態で筐体１２側に対し閉鎖状態をロックしており、ハンドルレバー１８を手前に引くとロックが解除される。
【００２５】
ハンドルレバー１８を回動自在に支持した軸２０側から後端側に作動レバー２２が延在されており、作動レバー２２はハンドルレバー１８と一体に回動するようにしている。作動レバー２２は、軸２０より奥行方向にほぼ水平に延在した後に後端側を上部にＬ字型に屈曲したレバー形状を持っている。
【００２６】
作動レバー２２の後端部の屈曲側に相対した筐体１２の部分には、奥行き方向にストッパ部２４が形成されており、このストッパ部２４に磁石２６を固定している。磁石２６に相対した作動レバー２２のレバー端部には、先端に吸着ブロック３０を備えた調整ねじ２８がねじ込まれ、作動レバー２２と吸着ブロック３０との間隔を調整ねじ２８により調整して、図示のロック位置で、吸着ブロック３０がストッパ２４に固定している磁石２６に吸着する位置となるように調整している。この調整ねじ２８による吸着ブロック３０の調整状態で、２つのロックナット３２，３４を作動レバー２２側及び吸着ブロック３０側に締め付けて、調整間隔を固定している。
【００２７】
またハンドルレバー１８の軸２０に一体に固定された作動レバー２２は、ハンドル収納部１６の後方の開口１６ａを介して筐体１２の奥行方向に取り出されており、更に軸２０に対しては、ばね２１が設けられ、ハンドルレバー１８及び作動レバー２２を図示のロック位置に保持するように付勢している。
【００２８】
ハンドル装置１０は、図示の消火栓扉１４を上端が筐体１２のストッパ部２４に当接する閉鎖位置に閉じたとき、ハンドルレバー１８の後方に延在している作動レバー２２のレバー端部に設けている吸着ブロック３０が磁石２６に当接し、吸着ブロック３０を磁石２６で吸着保持することで、ハンドル装置１０を介して消火栓扉１４を筐体１２に対し閉鎖位置にロックしている。
【００２９】
この閉鎖状態で消火栓扉１４に開方向の力が加わっても、作動レバー２２のレバー端部の吸着ブロック３０がストッパ部２４に固定している磁石２６に当たり、消火栓扉１４の開方向への動きを阻止している。
【００３０】
消火栓扉１４を開く場合には、ハンドル収納部１６に下から手を入れ、図２に示すように、ハンドルレバー１８を矢印Ａに示すように手前に引いて右回りに回動させる。ハンドルレバー１８を手前に引くと、軸２０を中心に一体に設けられている作動レバー２２に吸着ブロック３０を磁石２６から引き離す方向の力が加わり、作動レバー２２も一体に矢印Ｂ方向に回転し、吸着ブロック３０を磁石２６から引き外すことができる。
【００３１】
ここで図１の吸着ブロック３０の磁石２６に対する吸着解除は、軸２０を中心としたハンドルレバー１８と作動レバー２２によるてこの原理で引き外すことができ、磁石２６として比較的強力な磁力を持つ磁石を使用していたとしても、その引き外しのための引っ張り力を例えば１００Ｎ以下とすることができ、女性や子供のように力の弱い者がハンドルレバー１８を操作しても、簡単に吸着ブロック３０の磁石２６に対する吸着保持を外して図２のロック解除状態とすることができる。
【００３２】
図２のようにハンドルレバー１８を手前に引いて磁石２６に対する吸着ブロック３０の吸着を作動レバー２２の回動で解除できれば、ハンドルレバー１８を手前に引く力に伴い、ロックが解除された消火栓扉１４が下側を軸として手前側に引き出され、その後は自重により図１５に示したような開放状態とすることができる。
【００３３】
一旦、開いた消火栓扉１４を再び閉鎖する場合には、ハンドルレバー１８を手前に引きながら、即ち図２のようにハンドルレバー１８を手前に引いて作動レバー２２を下向きにした状態で、消火栓扉１４を閉鎖位置に戻して押し込み、押し込んだ後にハンドルレバー１８を離せば、ばね２１により作動レバー２２は図１の磁石２６に吸着ブロック３０を吸着させる位置に戻し、ロックさせることができる。
【００３４】
図３は本発明による消火栓扉に設けたハンドル装置の第２実施形態を示した断面図であり、図３（Ａ）に断面図を、図３（Ｂ）に正面図を示している。
【００３５】
図３の第２実施形態は、図３（Ａ）に示すように、基本的な構造は図１の実施形態と同じであるが、これに加えてハンドルレバー１８の下部両側にハンドル収納部１６の側壁部分から切起し部３６を形成し、切起し部３６に第２磁石３８を固定し、第２磁石３８でハンドルレバー１８を吸着固定するようにしたことを特徴とする。
【００３６】
第２磁石３８は、図３（Ｂ）の正面図に示すように、ハンドルレバー１８の下部両側に破線で示すように設けられ、ハンドルレバー１８を扉面に平行な扉ロック位置に吸着保持するようにしている。
【００３７】
このように第２磁石３８を設けてハンドルレバー１８を吸着保持することで、消火栓扉の閉鎖位置のロック状態において、ハンドルレバー１８を第２磁石３８による吸着保持で、扉面に平行なロック位置に確実に保持することができ、ハンドルレバー１８が完全に戻らずにわずかに手前側に開いた状態で作動レバー２２により吸着ブロック３０が磁石２６に完全に吸着保持されていないような不完全な扉ロック状態を回避することができる。
【００３８】
図４は本発明による消火栓扉を設けたハンドル装置の第３実施形態を示した断面図である。図４の第３実施形態にあっては、基本的な構造は図１の第１実施形態と同じであるが、磁石による吸着構造として、作動レバー２２側と同時に消火栓扉側も吸着保持するようにしたことを特徴とする。
【００３９】
図４において、ハンドル収納部１６に設けたハンドルレバー１８は、軸２０を中心に、図示の扉面に平行な扉ロック位置と、扉面から突出した扉ロック解除位置とに回動され、軸２０より一体に作動レバー２２を設けている。
【００４０】
作動レバー２２は後部側をＬ字型に屈曲し、レバー先端に調整ねじ２８を介して吸着ブロック３０を固定し、レバー後端と吸着ブロック３０の間隔を適切に調整し、ロックナット３２，３４で固定している。
【００４１】
作動レバー２２側の吸着ブロック３０が当接する位置には、筐体１２側より延在したストッパ部４０が設けられている。ストッパ部４０の手前側には磁石２６が固定され、磁石２６に対しストッパ部４０を介して、作動レバー２２の吸着ブロック３０を吸着保持している。
【００４２】
更に、磁石２６の前方に位置する消火栓扉１４の内側には別の吸着ブロック４２が固定されており、吸着ブロック４２は、ストッパ部４０に固定している磁石２６に対し接触又は僅かな隙間を介して配置されており、磁石２６による磁力を受けて、消火栓扉１４を閉鎖側に吸着している。
【００４３】
この図４の第３実施形態にあっては、図示のハンドルレバー１８を扉面に平行とした扉ロック位置で、軸２０の後方に延在した作動レバー２２のレバー端部に設けている調整ねじ２８で支持した吸着ブロック３０が、ストッパ部４０に固定している磁石２６に磁気的に吸着保持され、これによって消火栓扉１４の開方向への動きをロックしている。同時に、磁石２６に接触もしくは近接して配置された吸着ブロック４２により、消火栓扉１４が磁石２６に吸着保持されている。
【００４４】
消火栓扉１４を開放する場合には、ハンドルレバー１８の下に手を入れて手前に引いて、図５の矢印Ａに示すようにハンドルレバー１８を回動させる。このハンドルレバー１８の引出し操作に伴い、軸２０の後方に延在している作動レバー２２が矢印Ｂに示すように回動し、調整ねじ２８を介して支持している吸着ブロック３０が筐体１２側のストッパ部４０の手前側に固定している磁石２６から引き外され、ハンドル装置１０のロックが解除される。
【００４５】
この状態でハンドルレバー１８を手前に引いて消火栓扉１４に力を加えると、磁石２６に対する吸着ブロック４２の吸着保持を引き外し、消火栓扉１４を、下側を軸として、その自重により開放位置に開くことができる。
【００４６】
この図４，図５に示した第３実施形態にあっては、１つの磁石２６によりハンドル装置１０のロックと消火栓扉１４のロックを２段階に行っており、磁石２６による消火栓扉１４の閉鎖位置への保持を、より確実に行うことができる。
【００４７】
図６は本発明による消火栓扉に設けたハンドル装置の第４実施形態を示した断面図である。図６において、第４実施形態のハンドル装置１０にあっては、筐体１２の前面開口部に設けた消火栓扉１４にハンドル収納部４６が取り付けられ、ハンドル収納部４６に対しては、軸５０で回動自在に、操作部としてハンドル４７を一体に備えたハンドルレバー４８が設けられる。
【００４８】
軸５０の後方にはハンドルレバー４８と一体に回動する作動レバー５２が延在されており、作動レバー５２のレバー端部には横方向にロッド部材５８が支持されており、ロッド部材５８の両端にローラ６０が配置されている。
【００４９】
ロッド部材５８の両端のローラ６０に相対した奥行側の位置には、筐体１２側より延在して途中にストッパ部５５を形成した隔壁５４が配置されている。隔壁５４の途中のストッパ部５５には磁石５６が固定されており、磁石５６に対し消火栓扉１４の上部内側が当接して吸着保持されている。
【００５０】
ハンドル収納部４６の奥行側には開口４６ａが設けられ、ここからハンドルレバー４８を手前側に取り出している。また軸５０には、ばね５１が設けられ、ハンドルレバー４８及び作動レバー５２を図示のロック位置に付勢している。
【００５１】
図７は図６の第４実施形態のハンドル装置１０を扉正面から見て配置状態を示した説明図である。図７において、ハンドル装置１０の上部には一対の作動レバー５２が取り出され、作動レバー５２には横方向にロッド部材５８が装着されている。ロッド部材５８は消火栓扉１４のほぼ横幅に相当する長さを持ち、ロッド端部にローラ６０を装着している。このローラ６０の背後の位置には、筐体１２側から延在した隔壁５４が位置している。
【００５２】
図６の第４実施形態において、消火栓扉１４を開く場合には、ハンドル収納部４６に下側から手を入れてハンドル４７を手前に引くことでロックを解除する。
【００５３】
図８は図６のハンドル装置のハンドルを引いた開放開始時の動作を示した説明図である。ハンドル４７を矢印Ａに示すように手前に引くと、図６に示したように隔壁５４の手前に位置していたローラ６０が、ハンドルレバー４８及び作動レバー５２の軸５０を中心とした回転で隔壁５４に押し当てられる。
【００５４】
ローラ６０が隔壁５４に押し当てられた状態で更にハンドル４７を手前に引くと、図９に示すように、ローラ６０が隔壁５４に更に押し当てられ、作動レバー５２を介してハンドル装置１０により消火栓扉１４を矢印Ｃに示すように手前側に押し出し、これによって消火栓扉１４の上部の磁石５６に対する吸着保持が解除され、消火栓扉１４は下側を軸として、その自重により開放位置に開くことができる。
【００５５】
この図６〜図９に示した第４実施形態にあっては、図７から明らかなように、ハンドル装置１０に対し磁石５６を用いたロック位置を両側２箇所に配置できるため、磁石を用いた吸着によるロック保持のバランスが良く、また２箇所に分けて吸着保持することで各磁石の磁力を小さくし、より軽い力でハンドル装置１０の操作によりロックを解除することができる。
【００５６】
図１０は本発明による消火栓扉に設けたハンドル装置の第５実施形態を示した断面図である。図１０のハンドル装置１０にあっては、基本的な構造は図６及び図７の第４実施形態と同じであるが、作動レバー５２による磁石を用いた筐体１２側へのロック構造が異なる。
【００５７】
即ち図１０の第５実施形態にあっては、ハンドルレバー４８を回動自在に支持した軸５０の後方に一体に延在した作動レバー５２のレバー端部に設けたロッド部材５８に対し、吸着ブロック６２により磁石６４を固定しており、この磁石６４に相対した位置に筐体１２側からストッパ部６６を延在し、磁石６４を吸着保持するようにしている。それ以外の構造は図６〜図９の第４実施形態と同じになる。
【００５８】
この図１０の第５実施形態について、消火栓扉１４を開く際には、ハンドル収納部４６の下側に手を入れてハンドル４７を手前に引くことにより、図１１のようにして、軸５０を介して作動レバー５２を矢印Ｂ方向に回動し、これによって吸着ブロック６２に固定している磁石６４を筐体１２側のストッパ部６６から引き離し、磁石６４による消火栓扉１４の吸着保持を解除し、更にハンドル４７を手前に引くことで、消火栓扉１４を、下側を軸に手前側に回動して開くことができる。
【００５９】
図１２は磁石を筐体側に固定した図１０の第５実施形態の変形例である。この場合にも、ハンドルレバー４８をハンドル４７に手を掛けて矢印Ａに示すように手前に引くと、軸５０を中心に作動レバー５２が矢印Ｂ方向に回転し、吸着ブロック６２を筐体１２側に形成したストッパ部６６に固定している磁石６４から引き外し、消火栓扉１４を開くことができる。
【００６０】
なお図１の第１実施形態、図３の第２実施形態、図４の第３実施形態、図６の第４実施形態にあっては、磁石２６，５６を筐体側に固定しているが、逆に磁石２６，５６を作動レバー側または消火栓扉側に固定するようにしてもよい。
【００６１】
また上記の実施形態は、消火栓扉のほぼ中央にハンドル装置１０を１つ設けた場合を例に取るものであったが、更に操作力を低減するためには、消火栓扉の２箇所にハンドル装置を設け、両手でハンドル装置を操作して開放するようにしてもよい。
【００６２】
また本発明は、その目的と利点を損なうことのない適宜の変形を含み、更に上記の実施形態に示した数値による限定は受けない。
【図面の簡単な説明】
【００６３】
【図１】本発明による消火栓扉に設けたハンドル装置の第１実施形態を示した断面図
【図２】図１のハンドル装置の開放動作を示した説明図
【図３】本発明による消火栓扉に設けたハンドル装置の第２実施形態を示した断面図
【図４】本発明による消火栓扉に設けたハンドル装置の第３実施形態を示した断面図
【図５】図４のハンドル装置の開放動作を示した説明図
【図６】本発明による消火栓扉に設けたハンドル装置の第４実施形態を示した断面図
【図７】図６の第４実施形態のハンドル装置を扉正面から見て配置状態を示した説明図
【図８】図６のハンドル装置のハンドルを引いた開放開始時の動作を示した説明図
【図９】図８に続いて更にハンドルを引いた時の図６のハンドル装置の開放動作を示した説明図
【図１０】本発明による消火栓扉に設けたハンドル装置の第５実施形態を示した断面図
【図１１】磁石を筐体側に固定した場合の図１０のハンドル装置の開放動作を示した説明図
【図１２】磁石をハンドル側に固定した場合の図１０のハンドル装置の開放動作を示した説明図
【図１３】従来の消火栓装置を示した説明図
【図１４】図１３の消火栓装置の消火栓扉を開いた状態で示した平面図
【図１５】図１４の側面図
【図１６】従来のハンドル装置における扉のロック状態を示した説明図
【図１７】図１６のハンドルレバーを引いてラッチを解除した消火栓扉を開き始めた状態の説明図
【符号の説明】
【００６４】
１０：ハンドル装置
１２：筐体
１４：消火栓扉
１６，４６：ハンドル収納部
１６ａ：開口
１８，４８：ハンドルレバー
２０，５０：軸
２１，５１：ばね
２２：作動レバー
２４，４０，５５，６６：ストッパ部
２６，５６：磁石
２８：調整ねじ
３０，４２，６２：吸着ブロック
３２，３４：ロックナット
３６：切起し部
３８：第２磁石
４７：ハンドル
５８：ロッド部材
６０：ローラ
【図１】
2009291507.tif 000003
【図２】
2009291507.tif 000004
【図３】
2009291507.tif 000005
【図４】
2009291507.tif 000006
【図５】
2009291507.tif 000007
【図６】
2009291507.tif 000008
【図７】
2009291507.tif 000009
【図８】
2009291507.tif 000010
【図９】
2009291507.tif 000011
【図１０】
2009291507.tif 000012
【図１１】
2009291507.tif 000013
【図１２】
2009291507.tif 000014
【図１３】
2009291507.tif 000015
【図１４】
2009291507.tif 000016
【図１５】
2009291507.tif 000017
【図１６】
2009291507.tif 000018
【図１７】
2009291507.tif 000019